(57)【特許請求の範囲】
【請求項１】
建築物の、間柱を挟んで対向する第１及び第２の壁に、配管を取り付けるための配管取付け部材であって、
前記第１及び第２の壁の間に設けられるものであり、
当該配管取付け部材は、
第１面及び当該第１面の反対側の第２面が前記第１及び第２の壁に沿うように位置付けられる直方体の本体部と、
一方側の面が前記第１面に固定されており、他方側の面が前記第１の壁に沿うように位置付けられる平板状の固定部と、
前記固定部と、前記本体部の、前記第１面の隣りの第３面とが、一方側の面に固定されており、前記間柱に他方側の面が固定される平板状の本体固定部と、
を有し、
前記本体部及び前記固定部には、
当該固定部及び当該本体部を貫通する配管挿入用孔が、前記第３面に沿った方向に形成され、
当該配管挿入用孔の内壁には、
前記第１の壁に形成された第１の孔から前記配管挿入用孔への第１の配管の挿入を、当該第１の配管が前記配管挿入用孔内に所定の長さ挿入された第１の位置で阻止する第１の段差と、
前記第１の孔と異なる高さの位置に前記第２の壁に形成された第２の孔から前記配管挿入用孔への第２の配管の挿入を、前記第１の位置に対応する第２の位置で阻止する第２の段差と、
が形成されていることを特徴とする配管取付け部材。
【請求項２】
建築物の、間柱を挟んで対向する第１及び第２の壁に、配管を取り付けるための建築工法であって、
請求項１記載の配管取付け部材の本体固定部を前記間柱に固定する処理と、
第１の配管を、前記第１の壁に形成された第１の孔から前記配管取付け部材の配管挿入用孔に当該第１の配管が前記第１の段差に接触するまで、第２の配管を、前記第２の壁に形成された第２の孔から前記配管取付け部材の配管挿入用孔に当該第２の配管が前記第２の段差に接触するまで、それぞれ、挿入する処理と、
を含むことを特徴とする建築工法。
【請求項３】
間柱と、前記間柱を挟んで対向する第１及び第２の壁と、を有する建築物であって、
前記第１及び第２の壁の間に設けられた配管取付け部材と、
前記第１の壁に形成された第１の孔に挿入された第１の配管と、
前記第２の壁に形成された第２の孔に挿入された第２の配管と、
を有し、
前記配管取付け部材は、
第１面及び当該第１面の反対側の第２面が前記第１及び第２の壁に沿うように位置付けられた直方体の本体部と、
一方側の面が前記第１面に固定され、他方側の面が前記第１の壁に沿うように位置付けられた平板状の固定部と、
前記固定部と、前記本体部の、前記第１面の隣りの第３面とが、一方側の面に固定され、前記間柱に他方側の面が固定された平板状の本体固定部と、
を有し、
前記本体部及び前記固定部には、
当該固定部及び当該本体部を貫通した配管挿入用孔が、前記第３面に沿った方向に形成され、
当該配管挿入用孔の内壁には、
前記第１の壁に形成された第１の孔から前記配管挿入用孔への第１の配管の挿入を、当該第１の配管が前記配管挿入用孔内に所定の長さ挿入された第１の位置で阻止するための第１の段差と、
前記第１の孔と異なる高さの位置に前記第２の壁に形成された第２の孔から前記配管挿入用孔への第２の配管の挿入を、前記第１の位置に対応する第２の位置で阻止するための第２の段差と、
が形成されていることを特徴とする建築物。
【発明の詳細な説明】
【０００１】
【発明の属する技術分野】
本発明は、建築物の壁の１部を構成する壁構造体に係り、特に、給排気機器等を設置するための貫通部を有する壁に適用するのに好適な壁構造体に関する。
【０００２】
【従来の技術】
従来、建築物に、換気扇、エアコン、各種の給排気装置等の機器を取り付ける際には、壁に貫通孔を設け、該貫通孔を利用して、取付け工事を行なっていた。
【０００３】
具体的には、まず、設けておいた貫通孔に、スリーブ、貫通管、ダクト等の挿通部材を挿通しておく。そして、挿通部材と、壁の室内側壁面、室外側壁面との間には、気密性や水密性を確保するためにシートを装着し、その後、挿通部材に対して機器を取り付ける作業を行なっていた。
【０００４】
前記挿通部材は、機器に適合するように製造されるが、機器には様々なものが存在するため、予め設けておく貫通孔の寸法も様々であり、その施工は、非常に手間のかかるものであった。
【０００５】
このような手間を回避するために、木材等で４面を有する箱枠を作り、この箱枠を壁の１部となるように設置して、該箱枠に挿通部材を挿通し、機器を取り付ける手法も提案されている。
【０００６】
【発明が解決しようとする課題】
しかしながら、上記の従来技術によれば、機器が、室内側壁面に設置されるべき内部ユニットと、室外側壁面に設置されるべき外部ユニットを有して構成され、各ユニットを室内、室外側から挿通部材に挿入して、機器を設置する場合、各ユニットを挿入する前に、通常、スリーブ管等を仮止めすべく、挿通部材にスリーブ管を挿入する作業を行なうが、この作業は、非常に気を使いながら行なうものであった。
【０００７】
即ち、どの程度、スリーブ管が挿入されているかについて、挿入状態を確認しながら、スリーブ管の挿入作業を行なっていたため作業能率が低下していた。
【０００８】
また、箱枠を利用して機器を取り付ける手法においても、箱枠と挿通部材との間の隙間に、断熱材等の、隙間を埋める材料を詰め込むのは、非常に手間を要する作業であった。
【０００９】
さらに、機器を取り付けるために、機器に対応した孔径を有する貫通孔を壁に設けるのは、非常に多くの工数を要する作業であった。
【００１１】
本発明は、
建築物の、間柱を挟んで対向する第１及び第２の壁に、配管を取り付けるための配管取付け部材であって、
前記第１及び第２の壁の間に設けられるものであり、
当該配管取付け部材は、
第１面及び当該第１面の反対側の第２面が前記第１及び第２の壁に沿うように位置付けられる直方体の本体部と、
一方側の面が前記第１面に固定されており、他方側の面が前記第１の壁に沿うように位置付けられる平板状の固定部と、
前記固定部と、前記本体部の、前記第１面の隣りの第３面とが、一方側の面に固定されており、前記間柱に他方側の面が固定される平板状の本体固定部と、
を有し、
前記本体部及び前記固定部には、
当該固定部及び当該本体部を貫通する配管挿入用孔が、前記第３面に沿った方向に形成され、
当該配管挿入用孔の内壁には、
前記第１の壁に形成された第１の孔から前記配管挿入用孔への第１の配管の挿入を、当該第１の配管が前記配管挿入用孔内に所定の長さ挿入された第１の位置で阻止する第１の段差と、
前記第１の孔と異なる高さの位置に前記第２の壁に形成された第２の孔から前記配管挿入用孔への第２の配管の挿入を、前記第１の位置に対応する第２の位置で阻止する第２の段差と、
が形成されていることを特徴とする配管取付け部材を提供する。
【００１３】
さらに、
建築物の、間柱を挟んで対向する第１及び第２の壁に、配管を取り付けるための建築工法であって、
請求項１記載の配管取付け部材の本体固定部を前記間柱に固定する処理と、
第１の配管を、前記第１の壁に形成された第１の孔から前記配管取付け部材の配管挿入用孔に当該第１の配管が前記第１の段差に接触するまで、第２の配管を、前記第２の壁に形成された第２の孔から前記配管取付け部材の配管挿入用孔に当該第２の配管が前記第２の段差に接触するまで、それぞれ、挿入する処理と、
を含むことを特徴とする建築工法を提供する。
【００１４】
【発明の実施の形態】
以下、本発明の実施の形態を、図面を参照して説明する。
【００１５】
まず、本発明にかかる壁構造体の構成の概要、使用状態の概要を述べ、最後に、建造物の壁に適用した具体的形態について説明する。
【００１６】
図１に、本発明にかかる壁構造体の構成の概要を示す。
【００１７】
本壁構造体は、本体部１と、本体部１の、ある面に接着されて固定されている固定部２と、本体部１を接着して固定する本体固定部３と、を有して構成されている。なお、図示しないが、固定部２を、本体固定部３に釘付けしておけば、各部材の密着状態は、一層強固になる。
【００１８】
また、本体部１は、例えば、発泡ポリスチレン、固定部２は、例えば、合版、また、本体固定部３は、例えば、木材等で形成しておけば良い。
【００１９】
一例として、各部材の寸法例を挙げると、本体部１は「２２０×２２０×９０（奥行き）（ｍｍ）」、固定部２は、「２２０×２２０×６（厚さ）（ｍｍ）」、本体固定部３は「３５０×９６×１５（厚さ）（ｍｍ）」となる。
【００２０】
なお、第１の穴４は、固定部２を貫通して、本体部１内部の所定位置まで設けられており、また、図１（ａ）では示すことができないが、他の穴である、第２の穴５が本体部１内部の所定位置まで設けられており、両穴は連通している。これを、図１（ｂ）を参照して説明する。
【００２１】
図１（ｂ）は、図１（ａ）における、「Ａ−Ａ’」の断面図である。
【００２２】
第１の穴４は、固定部２を貫通して、本体部１内部の所定位置まで設けられ、また、第２の穴５が本体部１内部の所定位置まで設けられており、両穴は連通している。
【００２３】
そして、両者の穴に対する中心軸は一致せずに平行になっており、このため、図示したように、段差（Δ）が形成されることになる。一例として、段差（Δ）は、前述した各部材の寸法において、「１０（ｍｍ）」程度のものを設けるようにすればよい。
【００２４】
次に、本発明にかかる壁構造体を用いて建築物の壁を製作した場合において、各種機器を取り付ける様子を、図２を参照して説明する。
【００２５】
なお、図２においては、理解の容易化のため、本来存在すべき外壁、間柱等の図示を省略している。
【００２６】
今、本体固定部３は、図示しない、建築物が有する間柱に、釘付け等によって固定されているものとする。
【００２７】
壁構造体を利用して取り付ける機器は、室内側壁面に配置する内部ユニットと、室外側壁面（図示せず）に配置する外部ユニットとを有して構成される。
【００２８】
なお、このような機器としては、例えば、換気扇、その他各種の給排気装置等が挙げられる。
【００２９】
さて、まず、内部ユニットを穴５に取り付ける作業を考える。この作業では、まず、塩化ビニール等で製造されたスリーブ管を、穴５に挿入することを行なう。
【００３０】
この際、図１（ｂ）を参照して説明した「段差」が設けられているため、作業者は、スリーブ管が、どの程度挿入されたか等の挿入状態を考慮せずに作業できる。つまり、作業者は、スリーブ管が「段差」に当接したのを把握することによって、スリーブ管が所望の位置まで挿入されたことを把握できる。このことは、外部ユニットに対するスリーブ管の挿入作業時も同様である。
【００３１】
穴５に対して、スリーブ管を挿入する作業を行なった後、今度は、穴５に対して外部ユニットを挿入する。これによって、外部ユニットの取付け作業を終了する。
【００３２】
次に、穴４に対して、スリーブ管を挿入する作業を行い、この作業の終了後に内部ユニットを穴４に挿入し、内部ユニットの取付け作業を終了して、機器の取付け作業を完了する。
【００３３】
このように、建築物の壁への機器の取付け作業は、室内側と室外側とに完全に分離され、作業性の向上が図れることになる。
【００３４】
また、前記段差の存在によって、外部からの雨水等の侵入も防止できることになる。
【００３５】
なお、本体１に設けた空洞部を、そのまま配管として利用することも考えられる。
【００３６】
次に、図３を参照して、具体的な建築物への本壁構造体の適用や機器の取付けの様子を説明する。
【００３７】
図中、左側を「室内側」、右側を「室外側」として説明する。
【００３８】
室内側の壁である内壁は、耐火性に富む石膏ボード等を用いて製造される。内壁の室内側には、壁紙が貼り付けられている。また、図示する外壁と、内壁との間には、通気層が存在し、紙面に垂直な方向において所定間隔ごとに、間柱が設けられている。
【００３９】
今、ある間柱に、本体固定部３がビス止めされ、図１（ａ）に示す壁構造体が設けられている。なお、建築物の間柱が設置された段階で、予め準備しておいた本壁構造体を固定するようにすれば良い。
【００４０】
図３に示す例では、内壁の室外側に、防湿機能を有するフィルムである防湿シートを貼り付けて、防湿性を向上させるとともに、間柱の室外側の面が存在する平面内に、通気層と接するように、寒気の侵入等を防ぐための防風シートを貼り付けている。防風シートは、その端部を、粘着力のある気密テープで、所定の場所に貼付られている。もちろん、防風シート同士をテープで貼り付け、大きなシートを作成し、該シートを通気層に接するようにして配置しても良い。さらに、耐寒性を向上するため、内壁と外壁との間には、断熱材として機能するグラスウールを配置している。
【００４１】
また、外部ユニットと、本体部１との隙間がなくなるように、ゴム性で変形容易なラバーシートを用いて、外部ユニットと本体部１との継ぎ目部を覆っている。穴５が円形の開口となることを考慮し、継ぎ目部の充分な気密性を確保するため、変形容易なラバーシートを用いている。なお、図示するように、防風シートの端部とラバーシートとの、双方を接続するように、気密テープを貼り付けている。
【００４２】
さて、図３に示す機器は、給排気装置であり、該装置は、外部ユニットと内部ユニットとを有して構成され、外気の取り入れ（給気）や室内の空気を排出（排気）する機能を有する。なお、機器のスイッチ等は、発明の本質ではないので図示やその説明を省略する。
【００４３】
また、機器は、給排気装置以外の装置でもよい。
【００４４】
前述したように、外部ユニットは、穴５に、スリーブ管を挿入した後に、スリーブ管とはまり合うように装着し、一方、内部ユニットも、穴４に、スリーブ管を挿入した後に、スリーブ管とはまり合うように装着する。これにより、給排気装置の取付けが完了する。
【００４５】
なお、内部ユニット、外部ユニットは、夫々、内壁、外壁に対してビス止めしてある。
【００４６】
段差を設けた構成にすることによって、スリーブ管挿入作業が容易となったことや、雨水等の侵入を防止可能としたのは、前述の通りである。
【００４７】
また、発泡ポリスチレンの弾力性により、建築物に多少の寸法誤差が生じても、両ユニットが設置可能となる。
【００４８】
また、本体部１に設けられた空洞部自体を、配管等に利用しても良い。
【００４９】
以上のように、本発明は、室内および室外にユニットを有する各種機器の取付けを容易にし、雨水等の侵入を防ぐ壁構造体を提供する。
【００５０】
そして、壁構造体を、建築物の間柱等に設けておくことにより、壁建築の作業性が向上する。各種の穴径を有する、複数種類の壁構造体を予め準備しておくことによって、壁建築の作業性が一層向上する。
【００５１】
【発明の効果】
以上のように、本発明によれば、各種の機器の取付け作業性に富み、壁に貫通孔を設ける施工工数も低減できる。また、外部からの雨水等の侵入を阻止することも可能である。
【図面の簡単な説明】
【図１】壁構造体の構成図である。
【図２】壁構造体にユニットを取り付ける様子を示した説明図である。
【図３】壁構造体を建造物に用いた具体的適用例の説明図である。
【符号の説明】
１…本体部、２…固定部、３…本体固定部
【図１】
0003620895.tif 000002
【図２】
0003620895.tif 000003
【図３】
0003620895.tif 000004